(57)【要約】【課題】  多様な使用を可能とすることができ、資源をより有効活用することができる、更に実用価値の高い新規なコースターを提供すること。【解決手段】  人物写真と、該写真の人物の人名・源氏名・芸名・略称・愛称の少なくともいずれかと、コード読み取り機能が搭載された携帯電話によって読み取り可能な２次元コードとが表示されてなり、名刺としての機能と情報媒体としての機能とが付与されていることを特徴とするコースター。【選択図】  図１
0003117604.tif 000002
【実用新案登録請求の範囲】
【請求項１】
人物写真と、該写真の人物の人名・源氏名・芸名・略称・愛称の少なくともいずれかと、コード読み取り機能が搭載された携帯電話によって読み取り可能な２次元コードとが表示されてなり、名刺としての機能と情報媒体としての機能とが付与されていることを特徴とするコースター。
【請求項２】
更に、前記写真の人物の個人情報が表示されている請求項１に記載のコースター。
【請求項３】
更に、前記写真の人物が所属する、会社、店及び団体の名称或いは標章の少なくともいずれかが表示されている請求項１又は２に記載のコースター。
【請求項４】
更に、前記写真の人物とは関係のない、会社、店及び団体の名称或いは標章の少なくともいずれかが表示されている請求項１〜３のいずれか１項に記載のコースター。
【請求項５】
更に、前記会社或いは店或いは団体に関する情報或いは広告、又は前記会社或いは店或いは団体が提供する情報或いは広告のいずれかが表示されている請求項３又は４に記載のコースター。
【請求項６】
前記２次元コードが、前記会社或いは店或いは団体に関する情報サイト、又は前記会社或いは店或いは団体が提供する情報サイトに直接的に接続される構成となっている請求項３又は４に記載のコースター。
【請求項７】
裏面に滑り止めを有する請求項１〜６のいずれか１項に記載のコースター。
【請求項８】
少なくとも写真及び印刷を施した側の紙の表面がラミネート加工されている請求項１〜７のいずれか１項に記載のコースター。
【考案の詳細な説明】
【技術分野】
【０００１】
本考案は、名刺としての機能と情報媒体としての機能とが付与されているコースターに関する。
【背景技術】
【０００２】
従来より、飲食店では、飲み物を提供する場合に、一般的にコースターが用いられている。これは、容器の底面のザラツキや熱い飲み物の入った容器でテーブルがキズつくことを防止したり、冷たい飲み物を提供した場合に生じる結露でテーブルが汚れたりキズついたりすることを防止するためである。その他、意匠性に優れるコースターの使用は、店の雰囲気作りに大きく貢献するといった面もあり、コースターには種々の斬新なデザインが施されたものがある。又、その店の宣伝広告を主たる目的として、一般的に、コースターに店名や店のロゴ等を表示することが行われている。
【０００３】
しかしながら、コースターは、使い捨てであり、飲み物の提供の毎に取り替える必要があるため、コースターの製造には、あまりコストをかけることができないのが現状である。又、近年における地球レベルでの環境保護の見地からすれば、資源を有効活用しているとは言えない使い捨ての品物は、どのようなものでも好ましくはなく、資源をより有効に使用できる製品の開発が望まれる。これに対して、飲食店で用いるコースターにＱＲコードを付して、その店についての詳しい情報を、コースターを介して直接得ることができるように構成することで、その店の広告料を削減することについての提案がある（例えば、特許文献１参照）。
【０００４】
【特許文献１】実用新案登録第３１１２２４２号公報
【考案の開示】
【考案が解決しようとする課題】
【０００５】
確かにＱＲコードを活用すれば、ＱＲコードを付したコースターによって、その場で、その店に関してのより多くの情報を得ることができる。しかしながら、使い捨てにされるという面では、従来のコースターと何ら変わるものではない。従って、本考案の目的は、多様な使用を可能とすることができ、資源をより有効活用することができる、更に実用価値の高い新規なコースターを提供することにある。
【課題を解決するための手段】
【０００６】
上記の目的は、以下の本考案によって解決される。即ち、本考案は、人物写真と、該写真の人物の人名・源氏名・芸名・略称・愛称の少なくともいずれかと、コード読み取り機能が搭載された携帯電話によって読み取り可能な２次元コードとが表示されてなり、名刺としての機能と情報媒体としての機能とが付与されていることを特徴とするコースターである。
【０００７】
本考案の好ましい形態としては、下記のものが挙げられる。上記の構成において、更に、前記写真の人物の個人情報が表示されているコースター；更に、前記写真の人物が所属する、会社、店及び団体の名称或いは標章の少なくともいずれかが表示されているコースター；更に、前記写真の人物とは関係のない、会社、店及び団体の名称或いは標章の少なくともいずれかが表示されているコースター；更に、前記会社或いは店或いは団体に関する情報或いは広告、又は前記会社或いは店或いは団体が提供する情報或いは広告のいずれかが表示されているコースター；前記２次元コードが、前記会社或いは店或いは団体に関する情報サイト、又は前記会社或いは店或いは団体が提供する情報サイトに直接的に接続される構成となっているコースター；裏面に滑り止めを有するコースター；少なくとも写真及び印刷を施した側の紙の表面がラミネート加工されているコースターである。
【考案の効果】
【０００８】
上記構成の本考案によれば、コースターとしての基本的な機能である、飲み物が入った容器の底が直接テーブルに接触する場合に生じる恐れのある、汚れやキズの発生を防止するという基本的な機能を有するものであることは勿論、飲食物を提供する人についての情報を示す名刺としての機能をも有する、その多くが使い捨てとはならない実用価値の高いコースターが提供される。更に、本考案によれば、コースターを使用して飲物を提供する店や関連業者或いは関連する品物等の情報や、或いは、飲物の提供を受ける人が興味をもつと考えられる情報の提供を容易に行うことができる情報媒体としても機能する実用価値の高いコースターが提供される。
【考案を実施するための最良の形態】
【０００９】
次に、図面を参照して本考案を更に詳細に説明する。本考案にかかるコースターは、基本的には、図１に示したように、人物写真と、該写真の人物の、人名・源氏名・芸名・略称・愛称の少なくともいずれかと、コード読み取り機能が搭載された携帯電話によって読み取り可能な２次元コードとが少なくとも表示されてなる。このようにすることで、本考案にかかるコースターは、その人物写真の人の、写真付きの名刺として有効に機能するものとなる。例えば、飲み物を運んだり、接客を行う人の顔写真と、その人の、人名・源氏名・芸名・略称・愛称の少なくともいずれかの表示があれば、コースターは名刺として機能するものとなる。又、例えば、その顔写真の人物の電話番号や、メールやホームページのアドレスといった個人情報を表示させれば、名刺としての機能を更に充実させることができる。
【００１０】
本考案にかかるコースターの別の形態としては、更に、写真の人物が所属する会社、店及び団体の名称或いは標章（ロゴマーク）を表示したコースターや、写真の人物とは特に関係のない会社、店及び団体の名称或いは標章が表示されているコースターが挙げられる。更に、これらの会社或いは店或いは団体に関する情報或いは広告が表示されているコースターも好ましい形態である。この場合に、コースターに文字等を印字できるスペースは限られているので、上記の情報或いは広告は、特に２次元コードを介して提供するように構成することが有効である。即ち、コースターに表示された２次元コードによって、コースターに表示した会社或いは店或いは団体に関する情報サイトに直接的に接続することができるように構成されたコースターは、情報媒体として有効に機能する。即ち、その店や、表示された会社や団体や、更には、これらに関連する情報等に興味のある者は、その場で２次元コードを介して情報サイトに接続して情報を得るか、或いは、そのコースターを持ち帰り、他の場所で２次元コードを介して情報サイトに接続して情報を得ることができ、有効な情報媒体となる。
【００１１】
本考案にかかるコースターは、上記したように、名刺や情報媒体として機能するので、受け取った人の多くはコースターを持ち帰ることが予想され、使い捨てにされることがなくなる。
【００１２】
本考案にかかるコースターの好ましい形態としては、少なくとも、情報や２次元コード等の印刷を施した側の紙の表面がラミネート加工されているものが挙げられる。このような構成とすることで、コースターが濡れた場合に、写真や、名前や２次元コード等の印字部分が滲んでしまったり、コースターを持ち帰った場合に印字部分が擦れてしまったりすることがなくなり、上記した名刺や情報媒体としての機能が損なわれることがない。勿論、その表裏面がラミネート加工されたものも好ましい形態である。更に、本考案にかかるコースターの好ましい形態として、その裏面に、滑り止め加工が施されているものが挙げられる。このようにすれば、飲料容器を置いた場合に、該容器をより安定してテーブルの上に置くことができるようになる。
【００１３】
本考案にかかるコースターの利用方法について、更に詳細に説明する。前記したように、例えば、飲み物を提供する店で使用することで、コースターでありながら、その店で働く人の名刺として有効に機能し、しかも、その人の写真や個人情報、更には他の多様な情報を直接的に取得することが可能であるため、その話題性は従来の名刺に比べて非常に高いものとなる。このことは、コースターを介して様々な話題を提供できることを意味しており、これによって集客力、店への再来率、口コミ率等が格段に増すことが予想される。
【００１４】
又、飲食店に限らず、各種の営業活動をする場合に、本考案にかかるコースターを名刺として使用することで、相手に強いインパクトを与えることができる。更に、本考案にかかるコースターは、名刺として機能すると同時に、表示された２次元コードを介して、その場で或いはその後に多様な情報を容易に得ることができるものである。このため、相手を選んでコースターを名刺として使用すれば、情報を受けとって欲しい対象者に確実に情報を手渡しすることができる。即ち、本考案にかかるコースターは、名刺として使用できるように構成されているため、従来の不特定多数の者に配布するような広告手段に比べて、高い宣伝或いは広告の効果が期待できる。このことは、本考案にかかるコースターは、広告媒体としても非常に有用なものであることを意味しており、その名刺の人物とは直接関係のない会社や店や団体においても、これらのものの広告表示や、その情報サイトに直接的に接続することができる２次元コードの表示によって、高い宣伝広告効果を実現することが可能である。このため、本考案にかかるコースターは広告料が支払われる対象となり得るが、その場合には、コースターを提供する者に広告料収入という別の効果がもたらされる。
【産業上の利用可能性】
【００１５】
本考案によれば、コースターを従来にない名刺として、更に情報媒体として機能する形態のものとすることで、コースターに、新たに名刺として、更には、名刺を渡す相手を特定しての情報媒体としての機能が付与されるので、多様な使用形態が考えられるコースターの実現が可能となる。更に、これによって、従来は使い捨てであったコースターが、使い捨てにされないようになり、資源活用の見地からも好ましい実用価値の高いコースターが提供される。
【図面の簡単な説明】
【００１６】
【図１】本考案にかかるコースターの一例を示す概略図である。
【図１】
0003117604.tif 000003
【手続補正書】
【提出日】平成17年10月21日(2005.10.21)
【手続補正１】
【補正対象書類名】実用新案登録請求の範囲
【補正対象項目名】全文
【補正方法】変更
【補正の内容】
【実用新案登録請求の範囲】
【請求項１】
人物写真と、該写真の人物の人名・源氏名・芸名・略称・愛称の少なくともいずれかと、コード読み取り機能が搭載された携帯電話によって読み取り可能な２次元コードとが表示されてなり、名刺としての機能と情報媒体としての機能とが付与されており、少なくとも写真及び印刷を施した側の紙の表面がラミネート加工されてなることを特徴とするコースター。
【請求項２】
更に、前記写真の人物の個人情報が表示されている請求項１に記載のコースター。
【請求項３】
更に、前記写真の人物が所属する、会社、店及び団体の名称或いは標章の少なくともいずれかが表示されている請求項１又は２に記載のコースター。
【請求項４】
更に、前記写真の人物とは関係のない、会社、店及び団体の名称或いは標章の少なくともいずれかが表示されている請求項１〜３のいずれか１項に記載のコースター。
【請求項５】
更に、前記会社或いは店或いは団体に関する情報或いは広告、又は前記会社或いは店或いは団体が提供する情報或いは広告のいずれかが表示されている請求項３又は４に記載のコースター。
【請求項６】
前記２次元コードが、前記会社或いは店或いは団体に関する情報サイト、又は前記会社或いは店或いは団体が提供する情報サイトに直接的に接続される構成となっている請求項３又は４に記載のコースター。
【請求項７】
裏面に滑り止めを有する請求項１〜６のいずれか１項に記載のコースター。
【手続補正２】
【補正対象書類名】明細書
【補正対象項目名】０００６
【補正方法】変更
【補正の内容】
【０００６】
上記の目的は、以下の本考案によって解決される。即ち、本考案は、人物写真と、該写真の人物の人名・源氏名・芸名・略称・愛称の少なくともいずれかと、コード読み取り機能が搭載された携帯電話によって読み取り可能な２次元コードとが表示されてなり、名刺としての機能と情報媒体としての機能とが付与されており、少なくとも写真及び印刷を施した側の紙の表面がラミネート加工されてなることを特徴とするコースターである。
【手続補正３】
【補正対象書類名】明細書
【補正対象項目名】０００７
【補正方法】変更
【補正の内容】
【０００７】
本考案の好ましい形態としては、下記のものが挙げられる。上記の構成において、更に、前記写真の人物の個人情報が表示されているコースター；更に、前記写真の人物が所属する、会社、店及び団体の名称或いは標章の少なくともいずれかが表示されているコースター；更に、前記写真の人物とは関係のない、会社、店及び団体の名称或いは標章の少なくともいずれかが表示されているコースター；更に、前記会社或いは店或いは団体に関する情報或いは広告、又は前記会社或いは店或いは団体が提供する情報或いは広告のいずれかが表示されているコースター；前記２次元コードが、前記会社或いは店或いは団体に関する情報サイト、又は前記会社或いは店或いは団体が提供する情報サイトに直接的に接続される構成となっているコースター；裏面に滑り止めを有するコースターである。